(57)【要約】【課題】  本発明は、記録用紙の種類を検出するためのスイッチを兼用して、シール紙に対して分割印刷するかどうかを検出することが可能な用紙トレイおよびこれを用いたプリンタを提供すること。【解決手段】  記録用紙（図示せず）に所望の画像を印刷可能な印刷手段を有するプリンタ（図示せず）側には、記録用紙の種類に対応して、印刷手段の印刷条件を切換可能な切換手段１０を配設し、収納部２近傍には、収納している記録用紙の全面に印刷可能な全面印刷、または記録用紙に対して所定の数に分割して印刷可能な分割印刷するかを選択可能な切換ノブ８が配設され、プリンタ側のトレイ装着部に装着する動作で、記録用紙の種類に対応して印刷条件が切り換えられると共に、切換ノブが切換手段を操作して、記録用紙に対して全面印刷、または分割印刷するかの切換が可能になっている。【選択図】        図１
2005280016.tif 000002
【特許請求の範囲】
【請求項１】
所定の大きさの記録用紙と、複数枚の前記記録用紙を収納可能な用紙収納部とを備え、前記記録用紙に所望の画像を印刷可能な印刷手段を有するプリンタ側には、前記記録用紙の種類に対応して、前記印刷手段の印刷条件を切換可能な切換手段を配設し、前記収納部近傍には、収納している前記記録用紙の全面に印刷可能な全面印刷、または記録用紙に対して所定の数に分割して印刷可能な分割印刷するかを選択可能な切換ノブが配設され、前記プリンタ側のトレイ装着部に装着する動作で、前記記録用紙の種類に対応して前記印刷条件が切り換えられると共に、前記切換ノブが前記切換手段を操作して、前記記録用紙に対して前記全面印刷、または前記分割印刷するかの切換が可能になっていることを特徴とする用紙トレイ。
【請求項２】
前記用紙収納部には、台紙に貼付されて剥離可能なシール紙が収納可能になっており、前記シール紙は、所定の数に分割されて前記台紙に貼付された分割サイズと、前記台紙と略同じ大きさで前記台紙の全面に貼付された全面サイズとからなり、前記分割サイズのそれぞれの前記シール紙に印刷する分割印刷と、前記全面サイズの前記シール紙に印刷する全面印刷とを、前記切換ノブの位置を変えることで切換可能になっていることを特徴とする請求項１記載の用紙トレイ。
【請求項３】
前記切換手段は、複数の操作部とこの複数の操作部に対応した数のスイッチ回路とを有するスイッチユニットからなり、前記操作部を操作して前記スイッチ回路を切り換えることで、前記印刷手段の印刷条件を切換可能になっていることを特徴とする請求項１または２記載の用紙トレイ。
【請求項４】
前記スイッチユニットは、前記操作部および前記スイッチ回路がそれぞれ３個形成され、前記切換ノブが前記複数の操作部の少なくとも１個を操作することで、前記全面印刷、または前記分割印刷が切換可能になっていることを特徴とする請求項３記載の用紙トレイ。
【請求項５】
記録用紙に所望の画像を印刷可能な印刷手段と、印刷前の前記記録用紙を収納可能な用紙トレイと、この用紙トレイを装着可能なトレイ装着部とを備え、このトレイ装着部には、前記記録用紙の種類に対応して前記印刷手段の印刷条件を切換可能な切換手段が配設され、前記切換手段は、前記トレイ装着部に装着される前記用紙トレイによって操作可能になっており、
前記用紙トレイには、前記記録用紙の全面に印刷可能な全面印刷、または記録用紙に対して所定の数に分割して印刷可能な分割印刷するかの切換が可能な切換ノブが配設されていることを特徴とするプリンタ。
【請求項６】
前記切換手段は、複数の操作部とこの操作部に対応したスイッチ回路とを有するスイッチユニットからなり、前記切換ノブが、前記複数の操作部の少なくとも１つを操作することで、前記全面印刷、または前記分割印刷するかが切換可能になっていることを特徴とする請求項５記載のプリンタ。
【発明の詳細な説明】
【技術分野】
【０００１】
本発明は、用紙トレイおよびこれを用いたプリンタに係わり、内部の用紙収納部に収納した記録用紙の種類に対応してプリンタ側の印刷条件を切換可能な切換手段を操作可能な用紙トレイおよびこれを用いたプリンタに関する。
【背景技術】
【０００２】
従来の用紙トレイ２１は、図５にしますように、所定の幅寸法と長寸法の縦溝２２が形成され、この縦溝２２に沿ってテールガイド２３が矢印Ｃ方向に移動可能になっている。
前記用紙トレイ２１の内部は、例えば印画紙等からなる所定の大きさの記録用紙（図示せず）が収納され、この記録用紙の長さ方向をテールガイド２３で位置決め可能になっている。
そして、テールガイド２３を矢印Ｃ方向に移動させると、テールガイドに連結されたリンク（図示せず）を介してスイッチ操作体３０が操作されて、このスイッチ操作体３０が、複数のスイッチ（図示せず）の中のいずれかを操作可能になっている。
【０００３】
また、用紙トレイ２１には、所定の幅寸法と長寸法の横溝２４、２５が形成され、この横溝２４、２５に沿って、略Ｌ字状に形成された一対のガイド２６、２７が矢印Ｄ方向に移動可能に配設されている。そして、内部に収納した記録用紙の幅方向が、一対のガイド２６、２７によって位置決め可能になっている。
また、記録用紙の種類に対応して移動する一対のガイド２４、２５の動きに連動して移動可能な、略扇形のレバー２８およびスライダー２９が配設され、一対のガイド２４、２５を矢印Ｄ方向に移動させると、レバー２８を介してスライダー２９が長手方向にスライドしてスイッチ操作体３０が操作されて、複数のスイッチの中のいずれかを操作可能になっている。
そして、複数のスイッチのＯＮ／ＯＦＦの組み合わせによって、記録用紙の大きさを検出可能になっている。
【０００４】
このような従来の用紙トレイ２１は、検出された記録用紙の大きさの情報がプリンタ（図示せず）側に送られて、記録用紙の大きさに対応してプリンタ側の印刷条件が切り換えられて、記録用紙に写真等の画像が印刷可能になっていた。
【０００５】
【特許文献１】特開平０８−１１９４６２号公報
【特許文献２】特開平０８−０３４５２５号公報
【発明の開示】
【発明が解決しようとする課題】
【０００６】
しかし、従来の用紙トレイ２１は、記録用紙の大きさを検出することはできるが、内部に収納した記録用紙がシール紙の場合に、このシール紙が、例えば８分割して台紙上に貼付した分割サイズなのか、台紙と同じ大きさの全面サイズなのかの検出ができなかった。
そのために、従来の用紙トレイ２１を用いたプリンタで、シール紙に分割印刷する場合は、画像情報を保持しているデジタルカメラ、あるいはパソコン側で、分割印刷するか、全面印刷するかを設定していたので、シール紙に印刷するときの操作が煩雑であった。
【０００７】
また、赤外線通信対応の携帯電話に搭載したデジタルカメラで撮影した写真画像を、シール紙に分割印刷する場合に、携帯電話側で分割印刷の設定ができなかったので、プリンタ側に、シール紙に分割印刷のための設定を行うスイッチを、記録用紙の大きさを検出するためのスイッチ以外に設けなければならなかったので、部品点数が増えてコストアップになる問題があった。
本発明は、前述したよう課題を解決して、記録用紙の種類を検出するためのスイッチを兼用して、シール紙に対して分割印刷するかどうかを検出することが可能な用紙トレイおよびこれを用いたプリンタを提供することを目的とする。
【課題を解決するための手段】
【０００８】
前記課題を解決するための第１の手段として本発明の用紙トレイは、所定の大きさの記録用紙と、複数枚の前記記録用紙を収納可能な用紙収納部とを備え、前記記録用紙に所望の画像を印刷可能な印刷手段を有するプリンタ側には、前記記録用紙の種類に対応して、前記印刷手段の印刷条件を切換可能な切換手段を配設し、前記収納部近傍には、収納している前記記録用紙の全面に印刷可能な全面印刷、または記録用紙に対して所定の数に分割して印刷可能な分割印刷するかを選択可能な切換ノブが配設され、前記プリンタ側のトレイ装着部に装着する動作で、前記記録用紙の種類に対応して前記印刷条件が切り換えられると共に、前記切換ノブが前記切換手段を操作して、前記記録用紙に対して前記全面印刷、または前記分割印刷するかの切換が可能になっていることを特徴とする。
【０００９】
また、前記課題を解決するための第２の手段として、前記用紙収納部には、台紙に貼付されて剥離可能なシール紙が収納可能になっており、前記シール紙は、所定の数に分割されて前記台紙に貼付された分割サイズと、前記台紙と略同じ大きさで前記台紙の全面に貼付された全面サイズとからなり、前記分割サイズのそれぞれの前記シール紙に印刷する分割印刷と、前記全面サイズの前記シール紙に印刷する全面印刷とを、前記切換ノブの位置を変えることで切換可能になっていることを特徴とする。
【００１０】
また、前記課題を解決するための第３の手段として、前記切換手段は、複数の操作部とこの複数の操作部に対応した数のスイッチ回路とを有するスイッチユニットからなり、前記操作部を操作して前記スイッチ回路を切り換えることで、前記印刷手段の印刷条件を切換可能になっていることを特徴とする。
【００１１】
また、前記課題を解決するための第４の手段として、前記スイッチユニットは、前記操作部および前記スイッチ回路がそれぞれ３個形成され、前記切換ノブが前記複数の操作部の少なくとも１個を操作することで、前記全面印刷、または前記分割印刷が切換可能になっていることを特徴とする。
【００１２】
また、前記課題を解決するための第５の手段として本発明のプリンタは、記録用紙に所望の画像を印刷可能な印刷手段と、印刷前の前記記録用紙を収納可能な用紙トレイと、この用紙トレイを装着可能なトレイ装着部とを備え、このトレイ装着部には、前記記録用紙の種類に対応して前記印刷手段の印刷条件を切換可能な切換手段が配設され、前記切換手段は、前記トレイ装着部に装着される前記用紙トレイによって操作可能になっており、
前記用紙トレイには、前記記録用紙の全面に印刷可能な全面印刷、または記録用紙に対して所定の数に分割して印刷可能な分割印刷するかの切換が可能な切換ノブが配設されていることを特徴とする。
【００１３】
また、前記課題を解決するための第６の手段として、前記切換手段は、複数の操作部とこの操作部に対応したスイッチ回路とを有するスイッチユニットからなり、前記切換ノブが、前記複数の操作部の少なくとも１つを操作することで、前記全面印刷、または前記分割印刷するかが切換可能になっていることを特徴とする。
【発明の効果】
【００１４】
本発明に関する用紙トレイは、プリンタ側のトレイ装着部に装着する動作で、記録用紙の種類に対応して印刷条件が切り換えられると共に、切換ノブが切換手段を操作して、記録用紙に対して全面印刷、または分割印刷するかの切換が可能になっているので、記録用紙の種類に対応してプリンタ側の印刷手段の印刷条件を切換可能な切換手段によって、携帯電話のカメラで撮影した画像を、記録用紙に全面印刷するか分割印刷するかの選択が容易である。
なた、１個の切換手段で、用紙の種類に対応した印刷条件の切換と、全面印刷するか分割印刷するかの選択ができるので、部品点数を削減できる。
【００１５】
また、分割サイズのそれぞれのシール紙に印刷する分割印刷と、全面サイズのシール紙に印刷する全面印刷とを、切換ノブの位置を変えることで切換可能になっているので、シール紙に対する印刷が全面印刷か分割印刷かを容易に選択することができる。
【００１６】
また、切換手段は、複数の操作部とこの複数の操作部に対応した数のスイッチ回路とを有するスイッチユニットからなり、操作部を操作してスイッチ回路を切り換えることで、印刷手段の印刷条件を切換可能になっているので、低コストの押し釦スイッチを使うことで、コストダウンが可能になる。
【００１７】
また、スイッチユニットは、操作部およびスイッチ回路がそれぞれ３個形成され、切換ノブが複数の操作部の少なくとも１個を操作することで、全面印刷、または分割印刷が切換可能になっているので、操作性が良い。
【００１８】
また、用紙トレイには、記録用紙の全面に印刷可能な全面印刷、または記録用紙に対して所定の数に分割して印刷可能な分割印刷するかの切換が可能な切換ノブが配設されているので、全面印刷、分割印刷するかの切換が容易である。
【００１９】
また、切換手段は、複数の操作部とこの操作部に対応したスイッチ回路とを有するスイッチユニットからなり、切換ノブが、複数の操作部の少なくとも１つを操作することで、全面印刷、または分割印刷するかが切換可能になっているので、シール紙に対して全面印刷、または分割印刷するかの切換操作が容易なプリンタを提供できる。
【発明を実施するための最良の形態】
【００２０】
以下、図面に基づいて本発明の実施の形態について説明する。まず、図１は本発明の用紙トレイの平面図であり、図２は図１の２−２断面図であり、図３、図４は本発明に係わる切換ノブの操作を説明する要部拡大図である。
【００２１】
まず、本発明の１実施の形態の用紙トレイ１は、図１に示すように、樹脂材料を成形加工することにより外形が略矩形状に形成されている。また、用紙トレイ１は、内部に所定の大きさの記録用紙（図示せず）を収納可能な用紙収納部２が形成され、この用紙収納部２の上部には、用紙収納部２の上方を蓋閉可能な蓋部材３が配設されている。
図１に示す蓋部材３は、用紙トレイ１の図示右側の用紙排出側が開かれた状態になっており、この状態で後述するプリンタ（図示せず）側のトレイ装着部（図示せず）に装着することにより、内部に収納している記録用紙をプリンタ側の印刷手段に給紙可能になっている。
【００２２】
また、用紙トレイ１は、外形寸法は１種類であるが、記録用紙の大きさに対応して用紙収納部２の大きさが異なる複数種類がある。
また、用紙収納部２の底部には、用紙収納部２に収納した記録用紙を押し上げて、プリンタ側の給紙ローラ（図示せず）に弾接可能なプレッシャープレート４が配設されている。
また、用紙トレイ１には、用紙収納部２の図示右側の前端部側に前側壁５が形成され、用紙収納部２の一方の側壁側には、図２に示すような、内部に空洞部６ａを有するたガイド部６が形成されている。
前記ガイド部６の底壁７には、鈎状のストッパ部７ａと円弧状の凸部７ｂとが形成されている。
また、底壁７には、所定の幅寸法の開放溝７ｃが形成され、この開放溝７ｃによって、前側壁５の下部が部分的に開放されている。
【００２３】
また、ガイド部６の空洞部６ａ内には、外形が略直方体状で内部が中空の切換ノブ８が配設され、この切換ノブ８が空洞部６ａ内を矢印Ａ、Ｂ方向にスライド可能になっている。
また、空洞部６ａ内に位置する切換ノブ８は、上面８ａが露出すると共に、内部の底板８ｂに円形状で所定深さの凹部８ｃが形成されている。
そして、切換ノブ８を矢印Ａ、Ｂ方向にスライドさせることで、凸部７ｂに対して凹部８ｃが係脱し、クリック感が発生するようになっている。
【００２４】
また、凹部８ｃに隣り合わせて図示右側の底板８ｂには、凸部７ｂを係合させた状態で矢印Ａ、Ｂ方向に切換ノブ８がスライド移動可能な溝部８ｄが所定深さで形成されている。また、底板８ｂの図示右端部から開放溝７ｃ側に突出してＳＷ操作部８ｅが形成されている。
そして、前記ＳＷ操作部８ｅは、切換ノブ８を矢印Ａ方向にスライドさせると、ＳＷ操作部８ｅの図示右側端面が前側壁５の前面と略面一になるようになっている。
【００２５】
このような構成の本発明の用紙トレイ１を用いたプリンタは、図示を省略するが、印字ヘッドからなる印刷手段と、用紙トレイ１を装着可能なトレイ装着部と、記録用紙の種類に対応して印刷手段の印刷条件を切換可能な切換手段１０とが配設されている。
前記切換手段１０は、図３、図４に示すように、トレイ装着部に装着する用紙トレイ１の開放溝７ｃが形成された部分の前側壁５と対向する位置のプリンタ側に取り付けられている。
【００２６】
そして、切換手段１０は、例えば３個の押し釦スイッチを前側壁５と平行な並列状にユニット化したスイッチユニットからなっている。
前記切換手段１０は、ケース１０ａと、このケース１０ａから突出する棒状の３個の第１〜第３操作部１０ｂ、１０ｃ、１０ｄと、この第１〜第３操作部１０ｂ、１０ｃ、１０ｄに対応してケース１０ａ内にスイッチ回路とが形成されている。前記第１〜第３操作部１０ｂ、１０ｃ、１０ｄを押圧操作すると、ケース１０ａ内部のスイッチ回路が切り換わるようになっている。
【００２７】
そして、第１〜第３操作部１０ｂ、１０ｃ、１０ｄの中のいずれかに対応するスイッチ回路が切り換わることで、印刷手段の印刷条件が切換可能になっている。
また、図３、図４は、プリンタに装着した状態の用紙トレイ１を裏側から見た図であり、底壁７の開放溝７ｃには、切換ノブ８のＳＷ操作部８ｄが位置している。前記開放溝７ｃからは、切換ノブ８の底板８ｂに形成した溝部８ｄが望めるようになっている。
【００２８】
このような本発明の用紙トレイを用いたプリンタによる記録用紙への印刷動作を説明すると、記録用紙は、例えばキャッシュカードの大きさと同じカードサイズで説明する。前記カードサイズの記録用紙を収納した用紙トレイ１は、図３に示すようように、切換ノブ８を矢印Ａ方向にスライドすると、ＳＷ操作部８ｅの右端面と前側壁５の端面とが面一になる。
このときの切換ノブ８は、凹部８ｃが凸部７ｂに係合して矢印Ａ、Ｂ方向の動きが規制されると共に、クリック感が発生する。
【００２９】
このような用紙トレイ１をプリンタ側のトレイ装着部に装着すると、切換手段１０は、第１操作部１０ａがＳＷ操作部８ｅに押圧されて第１操作部１０ａに対応する第１スイッチ回路が切り換わる。
また、第１操作部１０ｂの隣の第２操作部１０ｃは、逃げ溝７ｄに位置して押圧されないので、第２操作部１０ｃに対応する第２スイッチ回路は切り換わらない。また、第２操作部１０ｃの隣の第３操作部１０ｄは、用紙トレイ１の前側壁５に押圧されて、第３操作部１０ｄに対応する第３スイッチ回路が切り換わる。
このように、第１、第３操作部１０ｂ、１０ｄが押圧されて、第１、第３スイッチ回路が切り換わることで、プリンタ側の印刷手段が、カードサイズの記録用紙に対応した印刷条件に切り換わり、カードサイズの記録用紙に写真等の画像を全面印刷することができる。
【００３０】
また、写真サイズの大きさの記録用紙に印刷する場合は、写真サイズの記録用紙を収納する用紙トレイは、図示を省略するが、例えば切換ノブ８が無くて開放溝７ｃを無くし、逃げ溝７ｄを第３操作部１０ｄと対向する位置に形成している。
このような用紙トレイをプリンタ側のトレイ装着部に装着すると、第１、第２操作部１０ｂ、１０ｃは、前側壁５に押圧されて、第１、第２スイッチ回路が切り換わるが、第３スイッチ回路は、第３操作部１０ｄが逃げ溝に位置するので、切り換わらない。
このことにより、写真サイズの記録用紙を収納した用紙トレイ１がトレイ装着部に装着されたことを検出して、写真サイズの大きさの記録用紙に対応して、印刷手段の印刷条件が切り換えられ、写真サイズの記録用紙に写真等の画像を印刷することができる。
【００３１】
即ち、本発明に係わる切換手段１０は、用紙トレイ１を、プリンタ側のトレイ装着部に装着すると、前側壁５が第１〜第３操作部１０ｂ〜１０ｄの前部またはいずれかを押圧操作することにより、用紙収納部２に収納している記録用紙の種類を検出し、この記録用紙の種類に対応して、印刷手段の印刷条件が切り換えられて、記録用紙に写真等の画像を印刷可能になっている。
【００３２】
また、用紙トレイ１に収納する記録用紙が、カードサイズと大きさが同じシール紙の場合の印刷動作を説明すると、シール紙（図示せず）は、カードサイズと略同じ大きさに形成された台紙上に粘着材等で貼着されて台紙から剥離可能になっている。
前記シール紙は、例えば８分割されて台紙に貼着された分割サイズと、台紙と略同じ大きさで、台紙の全面に貼着された全面サイズとの種類がある。
【００３３】
そして、赤外線通信対応の携帯電話（図示せず）に搭載したカメラで撮影した写真画像を、例えば８分割された分割サイズのシール紙に分割印刷する場合は、図４に示すように、切換ノブ８を矢印Ｂ方向にスライドさせる。
すると、図２に示すように、底壁７の凸部７ｂに係合していた切換ノブ８の凹部８ｃが外れて、クリック感が発生すると共に、切換ノブ８がストッパ部７ａに当接して、矢印Ｂ方向のスライドが停止する。同時に、前側壁５下部の開放溝７ｃが開放される。
【００３４】
このような、用紙トレイ１を、プリンタ側のトレイ装着部に装着すると、ＳＷ操作部８ｅは、第１操作部１０ｂから離間する。そのために、第１操作部１０ｂは、押圧されないので、第１操作部１０ｂに対応する第１スイッチ回路は切り換わらない。また、第２操作部１０ｃは、逃げ溝７ｄに位置するので第２スイッチ回路も切り換わらない。また、第３操作部１０ｄは、前側壁５に押圧されて第３スイッチ回路が切り換わる。
【００３５】
このことにより、用紙収納部２に収納されている記録用紙が、８分割されたシール紙であることを検出して、印刷手段の印刷条件が、８分割されたシール紙に対応して切り換えられて、８分割された分割サイズのシール紙に写真等の画像を印刷可能になっている。
また、シール紙が、分割されない全面サイズの場合は、図３に示すカードサイズの記録用紙に印刷する場合と同じ動作で、分割されてない全面サイズのシール紙に全面印刷することができる。
【００３６】
尚、本発明の実施の形態では、切換手段１０を不ｋすうのスイッチを組み合わせたスイッチユニットで説明したが、プリンタ側に複数の発光素子、または受光素子を配設し、用紙トレイ側に複数の受光素子、または発光素子を配設したものでも良い。
【図面の簡単な説明】
【００３７】
【図１】本発明の用紙トレイの平面図である。
【図２】図１の２−２断面図である。
【図３】本発明に係わる切換ノブの操作を説明する要部拡大図である。
【図４】本発明に係わる切換ノブの操作を説明する要部拡大図である。
【図５】従来の用紙トレイの斜視図である。
【符号の説明】
【００３８】
１  用紙トレイ
２  用紙収納部
３  蓋部材
４  プレッシャプレート
５  前側壁
６  ガイド部
７  底壁
７ａ  ストッパ部
７ｂ  凸部
７ｃ  開放部
７ｄ  逃げ溝
８  切換ノブ
８ａ  上面
８ｂ  底板
８ｃ  凹部
８ｄ  ガイド溝
８ｅ  ＳＷ操作部
１０  切換手段
１０ａ  ケース
１０ｂ  第１操作部
１０ｃ  第２操作部
１０ｄ  第３操作部
【図１】
2005280016.tif 000003
【図２】
2005280016.tif 000004
【図３】
2005280016.tif 000005
【図４】
2005280016.tif 000006
【図５】
2005280016.tif 000007